(57)【要約】【課題】  携帯端末装置の真の使用者ではない他者にその携帯端末装置が不正利用されてしまう可能性を低減できる携帯端末装置、充電器、および充電システムを提供すること。【解決手段】  携帯端末装置１０のＣＰＵ１６は、携帯端末装置１０が充電器３０に電気的に接続された際に充電器３０のメモリー３４から認証用識別データを取得する処理を行ない、当該認証用識別データを取得した場合には当該認証用識別データとメモリー１８に記憶されている端末装置識別データとを比較し、認証用識別データと端末装置識別データとが一致する場合には、充電器３０から再充電可能バッテリー２０へ電力が供給されるように切替スイッチ１９を制御し、そして、認証用識別データと端末装置識別データとが一致しない場合、および認証用識別データを取得できない場合には、充電器３０から再充電可能バッテリー２０への電力の供給を遮断するように切替スイッチ１９を制御する。【選択図】図２
2006279844.tif 000002
【特許請求の範囲】
【請求項１】
充電器に電気的に接続可能な携帯端末装置であって、
再充電可能バッテリーと、
制御手段と、
前記制御手段による電気制御により前記充電器から前記再充電可能バッテリーへの電力の供給と当該電力の遮断との切り替えを行なう切替手段と、
前記携帯端末装置固有の端末装置識別データを記憶し、前記制御手段からの指令に従い当該制御手段に前記端末装置識別データを送出する記憶手段と、
を備え、
前記制御手段が、前記携帯端末装置が前記充電器に電気的に接続された際に前記充電器から認証用識別データを取得する処理を行ない、当該認証用識別データを取得した場合には当該認証用識別データと前記端末装置識別データとを比較し、前記認証用識別データと前記端末装置識別データとが一致する場合には、前記充電器から前記再充電可能バッテリーへ電力が供給されるように前記切替手段を制御し、そして、前記認証用識別データと前記端末装置識別データとが一致しない場合、および前記認証用識別データを取得できない場合には、前記充電器から前記再充電可能バッテリーへの電力の供給を遮断するように前記切替手段を制御する携帯端末装置。
【請求項２】
請求項１記載の携帯端末装置が、警告手段を更に備え、
前記認証用識別データと前記端末装置識別データとが一致しない場合、および前記認証用識別データを取得できない場合、前記制御手段が、前記警告手段により警告が行なわれるように制御する携帯端末装置。
【請求項３】
請求項２記載の携帯端末装置であって、
前記警告手段による警告の後一定時間経過しても、前記警告の解除が行なわれなかった場合、前記制御手段が、前記記憶手段に保存されている個人情報を削除する携帯端末装置。
【請求項４】
請求項１ないし３のいずれか一項記載の携帯端末装置であって、
前記端末装置識別データと一致する認証用識別データをそれぞれ有する前記充電器が複数設けられ、当該複数の充電器各々がその真の使用者を示すデータを更に有しており、
前記記憶手段には前記複数の充電器それぞれの真の使用者全員の個人情報が記憶されており、
前記携帯端末装置が前記複数の充電器のうちのいずれか一つの充電器に電気的に接続された際、前記制御手段が、当該一つの充電器の真の使用者を示すデータを取得し且つ当該データに対応する個人情報のみを前記記憶手段から利用できるように制御する携帯端末装置。
【請求項５】
請求項１ないし４のいずれか一項記載の携帯端末装置である携帯無線電話端末装置。
【請求項６】
請求項１ないし４のいずれか一項記載の携帯端末装置と電気的に接続可能な前記充電器である充電器。
【請求項７】
請求項１ないし４のいずれか一項記載の携帯端末装置と前記充電器とからなる充電システム。
【請求項８】
再充電可能バッテリーを備えた携帯端末装置に電気的に接続可能な充電器であって、
制御手段と、
前記制御手段による電気制御に従い、前記携帯端末装置への前記再充電可能バッテリーを充電するための電力の供給を行なう充電手段と、
前記充電器固有の充電器識別データを記憶し、前記制御手段からの指令に従い当該制御手段に前記充電器識別データを送出する記憶手段と、
を備え、
前記制御手段が、前記充電器が前記携帯端末装置に電気的に接続された際に前記携帯端末装置から認証用識別データを取得する処理を行ない、当該認証用識別データを取得した場合には当該認証用識別データと前記充電器識別データとを比較し、前記認証用識別データと前記充電器識別データとが一致する場合には、前記再充電可能バッテリーに前記電力を供給するように前記携帯端末装置を制御し、そして、前記認証用識別データと前記充電器識別データとが一致しない場合、および前記認証用識別データを取得できない場合には、前記再充電可能バッテリーへの前記電力の供給を遮断するように前記携帯端末装置を制御する充電器。
【請求項９】
請求項８記載の充電器であって、
前記認証用識別データと前記充電器識別データとが一致しない場合、および前記認証用識別データを取得できない場合、前記制御手段が、前記携帯端末装置の警告手段により警告が行なわれるように前記携帯端末装置を制御する充電器。
【請求項１０】
請求項９記載の充電器であって、
前記警告手段による警告の後一定時間経過しても、前記警告の解除が行なわれなかった場合、前記制御手段が、前記携帯端末装置の記憶手段に保存されている個人情報が削除されるように前記携帯端末装置を制御する充電器。
【請求項１１】
請求項８ないし１０のいずれか一項記載の充電器の前記記憶手段が当該充電器の真の使用者を示すデータを更に有しており、
前記携帯端末装置の記憶手段には、前記真の使用者を含む複数の使用者の個人情報が記憶されており、
前記充電器が前記携帯端末装置に電気的に接続された際、前記制御手段が、前記充電器の真の使用者を示すデータに対応する個人情報のみを前記携帯端末装置の記憶手段から利用できるように前記携帯端末装置を制御する充電器。
【請求項１２】
請求項８ないし１１のいずれか一項記載の充電器であって、前記携帯端末装置が携帯無線電話端末装置である充電器。
【請求項１３】
請求項８ないし１１のいずれか一項記載の充電器と電気的に接続可能な前記携帯端末装置である携帯無線電話端末装置。
【請求項１４】
請求項８ないし１２のいずれか一項記載の充電器と前記携帯端末装置とからなる充電システム。
【発明の詳細な説明】
【技術分野】
【０００１】
本発明は、充電器により充電される再充電可能バッテリーを備えた携帯端末装置、該充電器、および該携帯端末装置と該充電器とからなる充電システムに関する。
【背景技術】
【０００２】
従来から、携帯無線電話端末装置（即ち、いわゆる携帯電話機）等といった携帯端末装置の再充電可能バッテリーを充電するための充電器は、再充電可能バッテリーの充電に関する機能のみしか備えておらず、付加価値が低いといった欠点を有していた。
【０００３】
この点に鑑み、充電器にインタフェースを設け、該インタフェースを介して携帯電話機とのデータのやりとりを行なう充電器が提案されている（例えば、特許文献１参照）。具体的に前記充電器から携帯電話機へ送出されるデータとしては、時刻データ、電話帳データ、スケジュールデータ、ページャ用メッセージデータ、等である。
【０００４】
しかしながら、携帯無線電話端末装置等の携帯端末装置を紛失したり、盗難にあったり、あるいはどこかに置き忘れてしまったような場合、この携帯端末装置が、当該携帯端末装置の真の使用者（即ち、所有者）ではない他者によって不正利用（例えば、他者による充電を繰り返しての使用、電話帳やスケジュール等の個人情報の流出、等）されてしまうといった事態が生じ得るため、このような事態を防ぐことができるような、より付加価値の高い携帯端末装置や充電器が望まれている。
【０００５】
【特許文献１】特開平１０−１７８７４５号公報
【発明の開示】
【発明が解決しようとする課題】
【０００６】
本発明は、上記従来の事情に鑑みなされたものであって、携帯端末装置の真の使用者ではない他者にその携帯端末装置が不正利用されてしまう可能性を低減できる携帯端末装置、充電器、および充電システムを提供することを目的としている。
【課題を解決するための手段】
【０００７】
本発明の携帯端末装置は、
充電器に電気的に接続可能な携帯端末装置であって、
再充電可能バッテリーと、
制御手段と、
前記制御手段による電気制御により前記充電器から前記再充電可能バッテリーへの電力の供給と当該電力の遮断との切り替えを行なう切替手段と、
前記携帯端末装置固有の端末装置識別データを記憶し、前記制御手段からの指令に従い当該制御手段に前記端末装置識別データを送出する記憶手段と、
を備え、
前記制御手段が、前記携帯端末装置が前記充電器に電気的に接続された際に前記充電器から認証用識別データを取得する処理を行ない、当該認証用識別データを取得した場合には当該認証用識別データと前記端末装置識別データとを比較し、前記認証用識別データと前記端末装置識別データとが一致する場合には、前記充電器から前記再充電可能バッテリーへ電力が供給されるように前記切替手段を制御し、そして、前記認証用識別データと前記端末装置識別データとが一致しない場合、および前記認証用識別データを取得できない場合には、前記充電器から前記再充電可能バッテリーへの電力の供給を遮断するように前記切替手段を制御する構成を有している。
このように本発明の携帯端末装置の制御手段は、携帯端末装置の端末装置識別データと当該携帯端末装置に電気的に接続された充電器の認証用識別データとが一致するかどうか比較することにより該携帯端末装置と該充電器とが同一使用者のものか否かを判定する。そして制御手段が、認証用識別データと端末装置識別データとが一致しないと判定するかあるいは認証用識別データを取得できないと判定した場合、即ち、携帯端末装置と充電器とが同一使用者のものではないと判定した場合、例えばその判定直後あるいはその判定から一定時間後に、充電器から携帯端末装置へ再充電可能バッテリーを充電するための電力の供給が行なわれないように充電器を制御するので、当該携帯端末装置の真の使用者ではない他者により充電を繰り返し継続して当該携帯端末装置が不正利用されることが防止される。
【０００８】
また、本発明の携帯端末装置が、警告手段を更に備え、
前記認証用識別データと前記端末装置識別データとが一致しない場合、および前記認証用識別データを取得できない場合、前記制御手段が、前記警告手段により警告が行なわれるように制御することが望ましい。
この構成によれば、例えば、携帯端末装置のディスプレイ装置での表示による警告、携帯端末装置のスピーカーから出る音による警告、等といった警告により、再充電可能バッテリーへの充電が為されず携帯端末装置が遅かれ早かれ使用できなくなることを知らせることができ、当該携帯端末装置の真の使用者ではない他者により充電を繰り返し継続して当該携帯端末装置が不正利用されることが防止される。
【０００９】
また、本発明の携帯端末装置において、
前記警告手段による警告の後一定時間経過しても、前記警告の解除が行なわれなかった場合、前記制御手段が、前記記憶手段に保存されている個人情報を削除すると更に望ましい。
この構成により、例えば、電話帳データ、スケジュールデータ、等といった個人情報が携帯端末装置の真の使用者ではない他者に見られることを防止することができ、よって個人情報を保護できる。尚、この構成では、例えば、本発明の携帯端末装置の真の使用者が、誤って当該携帯端末装置をそれ専用ではない充電器に電気的に接続した場合であっても、前記警告手段による警告の後一定時間内に所定の操作等により前記警告の解除を行なえば、前記記憶手段に保存されている個人情報が前記制御手段により削除されないので、携帯端末装置と充電器との誤接続による個人情報の削除も防止できる。
【００１０】
また、本発明の携帯端末装置の利点を応用して、
前記端末装置識別データと一致する認証用識別データをそれぞれ有する前記充電器が複数設けられ、当該複数の充電器各々がその真の使用者を示すデータを更に有しており、
前記記憶手段には前記複数の充電器それぞれの真の使用者全員の個人情報が記憶されており、
前記携帯端末装置が前記複数の充電器のうちのいずれか一つの充電器に電気的に接続された際、前記制御手段が、当該一つの充電器の真の使用者を示すデータを取得し且つ当該データに対応する個人情報のみを前記記憶手段から利用できるように制御する構成を有すると更に望ましい。
この構成により、本発明の携帯端末装置一台を例えば家族で共有する場合でも、その一台の携帯端末装置を該家族を構成する複数人それぞれが所有する充電器で充電可能とし、当該携帯端末装置がいずれかの充電器に電気的に接続された際には、その充電器の所有者の例えば、電話帳データ、スケジュールデータ、等といった個人情報のみを利用でき、そしてその充電器の所有者ではない他者の個人情報については見ることができないので、その携帯端末装置の各使用者のプライバシーを守ることができる。
【００１１】
尚、本発明の携帯端末装置の例としては、携帯電話機等といった携帯無線電話端末装置、ＰＤＡ（即ち、Ｐｅｒｓｏｎａｌ  Ｄｉｇｉｔａｌ  Ａｓｓｉｓｔａｎｃｅ）等といった携帯情報端末装置、等が挙げられるが、本発明の携帯端末装置が、近年世の中で非常に普及している携帯無線電話端末装置であれば、そのような携帯無線電話端末装置の不正利用を激減させることができるので非常に好ましい。
【００１２】
また、本発明の携帯端末装置と電気的に接続可能な前記充電器である充電器も好ましいことは言うまでもない。
【００１３】
また、本発明の携帯端末装置と前記充電器とからなる充電システムを構築することも好ましい。
【００１４】
また、本発明の充電器は、
再充電可能バッテリーを備えた携帯端末装置に電気的に接続可能な充電器であって、
制御手段と、
前記制御手段による電気制御に従い、前記携帯端末装置への前記再充電可能バッテリーを充電するための電力の供給を行なう充電手段と、
前記充電器固有の充電器識別データを記憶し、前記制御手段からの指令に従い当該制御手段に前記充電器識別データを送出する記憶手段と、
を備え、
前記制御手段が、前記充電器が前記携帯端末装置に電気的に接続された際に前記携帯端末装置から認証用識別データを取得する処理を行ない、当該認証用識別データを取得した場合には当該認証用識別データと前記充電器識別データとを比較し、前記認証用識別データと前記充電器識別データとが一致する場合には、前記再充電可能バッテリーに前記電力を供給するように前記携帯端末装置を制御し、そして、前記認証用識別データと前記充電器識別データとが一致しない場合、および前記認証用識別データを取得できない場合には、前記再充電可能バッテリーへの前記電力の供給を遮断するように前記携帯端末装置を制御する構成を有している。
このように本発明の充電器の制御手段は、充電器の充電器識別データと当該充電器に電気的に接続された携帯端末装置の認証用識別データとが一致するかどうか比較することにより該携帯端末装置と該充電器とが同一使用者のものか否かを判定する。そして制御手段が、認証用識別データと充電器識別データとが一致しないと判定するかあるいは認証用識別データを取得できないと判定した場合、即ち、携帯端末装置と充電器とが同一使用者のものではないと判定した場合、例えばその判定直後あるいはその判定から一定時間後に、再充電可能バッテリーへの電力の供給を行なわないように携帯端末装置を制御するので、当該携帯端末装置の真の使用者ではない他者により充電を繰り返し継続して当該携帯端末装置が不正利用されることが防止される。
【００１５】
また、本発明の充電器において、
前記認証用識別データと前記充電器識別データとが一致しない場合、および前記認証用識別データを取得できない場合、前記制御手段が、前記携帯端末装置の警告手段により警告が行なわれるように前記携帯端末装置を制御することが望ましい。
この構成によれば、例えば、携帯端末装置のディスプレイ装置での表示による警告、携帯端末装置のスピーカーから出る音による警告、等といった警告により、再充電可能バッテリーへの充電が為されず携帯端末装置が遅かれ早かれ使用できなくなることを知らせることができ、当該携帯端末装置の真の使用者ではない他者により充電を繰り返し継続して当該携帯端末装置が不正利用されることが防止される。
【００１６】
また、本発明の充電器において、
前記警告手段による警告の後一定時間経過しても、前記警告の解除が行なわれなかった場合、前記制御手段が、前記携帯端末装置の記憶手段に保存されている個人情報が削除されるように前記携帯端末装置を制御すると更に望ましい。
この構成により、例えば、電話帳データ、スケジュールデータ、等といった個人情報が携帯端末装置の真の使用者ではない他者に見られることを防止することができ、よって個人情報を保護できる。尚、この構成では、例えば、携帯端末装置の真の使用者が、誤って当該携帯端末装置をそれ専用ではない充電器に電気的に接続した場合であっても、前記警告手段による警告の後一定時間内に所定の操作等により前記警告の解除を行なえば、前記記憶手段に保存されている個人情報が削除されないので、携帯端末装置と充電器との誤接続による個人情報の削除も防止できる。
【００１７】
また、本発明の充電器の利点を応用して、
本発明の充電器の前記記憶手段が当該充電器の真の使用者を示すデータを更に有しており、
前記携帯端末装置の記憶手段には、前記真の使用者を含む複数の使用者の個人情報が記憶されており、
前記充電器が前記携帯端末装置に電気的に接続された際、前記制御手段が、前記充電器の真の使用者を示すデータに対応する個人情報のみを前記携帯端末装置の記憶手段から利用できるように前記携帯端末装置を制御する構成を有すると更に望ましい。
この構成により、携帯端末装置一台を例えば家族で共有する場合でも、その一台の携帯端末装置を該家族を構成する複数人それぞれが所有する本発明の充電器で充電可能とし、当該携帯端末装置がいずれかの本発明の充電器に電気的に接続された際には、その充電器の所有者の例えば、電話帳データ、スケジュールデータ、等といった個人情報のみを利用でき、そしてその充電器の所有者ではない他者の個人情報については見ることができないので、その携帯端末装置の各使用者のプライバシーを守ることができる。
【００１８】
尚、本発明の充電器により充電可能な再充電可能バッテリーを備えた携帯端末装置の例としては、携帯電話機等といった携帯無線電話端末装置、ＰＤＡ（即ち、Ｐｅｒｓｏｎａｌ  Ｄｉｇｉｔａｌ  Ａｓｓｉｓｔａｎｃｅ）等といった携帯情報端末装置、等が挙げられるが、携帯端末装置が、近年世の中で非常に普及している携帯無線電話端末装置であれば、そのような携帯無線電話端末装置の不正利用を激減させることができるので非常に好ましい。
【００１９】
よって、本発明の充電器と電気的に接続可能な前記携帯端末装置が携帯無線電話端末装置であると好ましい。
【００２０】
また、本発明の充電器と前記携帯端末装置とからなる充電システムを構築することも好ましい。
【発明の効果】
【００２１】
本発明によれば、携帯端末装置の真の使用者ではない他者にその携帯端末装置が不正利用されてしまうことを防ぐことができる携帯端末装置、充電器、および充電システムを提供することができる。
【発明を実施するための最良の形態】
【００２２】
以下、本発明に係る複数の好適な実施形態について図面を参照しながら説明する。
【００２３】
図１は本発明に係る携帯端末装置および充電器からなる充電システムの一外観例を示す図（具体的には携帯端末装置の正面図および充電器の斜視図（充電器のＡＣ／ＤＣ変換部についてはブロック図）が示される。）、図２は本発明の第１実施形態である携帯端末装置および充電器からなる充電システムの回路構成を示すブロック図、図３は図２の充電システムの動作手順を示すフローチャート、図４は本発明の第２実施形態である携帯端末装置および充電器からなる充電システムの回路構成を示すブロック図、図５は図４の充電システムにおける主に充電器の動作手順を示すフローチャート、そして図６は図４の充電システムにおける主に携帯端末装置の動作手順を示すフローチャートである。
【００２４】
本発明に係る充電システムの各実施形態は、図１に示すように、携帯端末装置の一例である携帯無線電話端末装置（以下、「携帯電話機」と記述する。）１０と、この携帯電話機１０の本体内に配置された再充電可能バッテリー２０（図２等参照）を充電するための充電器３０と、を備える。
【００２５】
携帯電話機１０は、数字や記号を含む文字を入力したり各種機能を選択したりする際に操作される操作部（キー操作部）１１と、例えば該操作部１１を操作することにより生成された文字データ等を表示あるいは警告を表示するための液晶表示装置等のディスプレイ装置１２と、音声や警告音を発するためのスピーカー１３と、無線送受信用アンテナ１４と、接続端子を具備する電気コネクタ１５と、を備えている。充電器３０は、携帯電話機１０がセット（装着）された際に携帯電話機１０の電気コネクタ１５の接続端子と電気的に接続される接続端子３２ａを具備する電気コネクタ３２と、商用電源からの交流電圧を所定の直流電圧に変換して直流電力として充電器本体に供給するＡＣ／ＤＣ変換部３１と、を備えている。尚、図１の充電器３０では、ＡＣ／ＤＣ変換部３１を充電器３０の本体とは別に設けた構成にしているが、ＡＣ／ＤＣ変換部３１を充電器３０の本体内に具備した構成であってもよい。
【００２６】
携帯電話機１０が充電器３０の本体上にセットされ、それにより電気コネクタ１５が電気コネクタ３２に係合されると、電気コネクタに１５の接続端子１５ａ（図１では不図示、後述の図２参照）が電気コネクタ３２の接続端子３２ａと接触して電気的に接続される。このように携帯電話機１０と充電器３０とが電気的に接続されると、充電器３０から携帯電話機１０の本体内の再充電可能バッテリー２０（図２等参照）に対して電力を供給可能な状態、即ち充電可能な状態になる。
【００２７】
（第１実施形態）
次に、主に図２を参照しながら本発明の第１実施形態を説明する。尚、図２において図１の構成要素と同一の構成要素には同じ符号が付されている。
【００２８】
携帯電話機１０は、図１に示したディスプレイ装置１２やスピーカー１３等の他に、携帯電話機１０全体の動作制御（充電制御を含む）を行なう制御手段であるＣＰＵ（即ち、Ｃｅｎｔｒａｌ  Ｐｒｏｃｅｓｓｉｎｇ  Ｕｎｉｔｅ）１６と、該ＣＰＵ１６が充電器３０のメモリー３４から認証用識別データ（後述）を得られるようにＣＰＵ１６を接続端子１５ａに電気的に接続するインタフェース１７と、携帯電話機１０の所有者（即ち、真の使用者）が作成した電話帳データ、スケジュールデータ、等といった個人情報、当該携帯電話機１０固有の端末装置識別データ（以下、「携帯電話機ＩＤ（即ち、Ｉｄｅｎｔｉｔｙ  Ｄａｔａ）」と記述する。）、等を保存した記憶手段であるメモリー１８と、を本体内に備える。
【００２９】
また、携帯電話機１０は、更に、ＣＰＵ１６によって充電器３０からの電力を再充電可能バッテリー２０に供給可能にする状態と電力供給を遮断する状態とに切り替え制御される半導体スイッチ等の切替手段である切替スイッチ１９と、充電器３０から電力が供給されることにより充電される、携帯電話機１０の各回路部へ電力を供給するための再充電可能バッテリー２０と、を本体内に備える。ＣＰＵ１６は、携帯電話機１０全体の動作制御を行なうための処理プログラムが全て記録されている記録媒体である不図示のＲＯＭ（即ち、Ｒｅａｄ  Ｏｎｌｙ  Ｍｅｍｏｒｙ）と電気的に接続され、その処理プログラムに従い携帯電話機１０全体の動作制御を行なう。
【００３０】
充電器３０は、図１に示したＡＣ／ＤＣ変換部３１の他、該ＡＣ／ＤＣ変換部３１から電力を受けて携帯電話機１０の再充電可能バッテリー２０を充電するための直流電力を供給する充電回路３３、充電器３０による充電を許可する携帯電話機を示す認証用識別データ（以下、「認証用ＩＤ」と記述する。）を保存した記憶手段であるメモリー３４、および該メモリー３４が携帯電話機１０に認証用ＩＤを送出できるようにメモリー３４を接続端子３２ａに電気的に接続するインタフェース３５、等を備える。
【００３１】
次に、図３のフローチャートを参照しながら、上記構成の充電システムの第１実施形態において携帯電話機１０が充電器３０にセットされた際に携帯電話機１０のＣＰＵ１６が行なう再充電可能バッテリー２０の充電に係わる処理について説明する。
【００３２】
ＣＰＵ１６は、携帯電話機１０が充電器３０にセットされ、充電器３０から接続端子１５ａに所定の電圧（例えば、５Ｖ）が印加されたことを検知すると、図３のステップＳ１０１からの動作を開始する。尚、携帯電話機１０が充電器３０にセットされていない段階および携帯電話機１０が充電器３０にセットされていても少なくとも初期段階では、切替スイッチ１９が図２に示すようにオフの状態（即ち、充電器３０からの電力を再充電可能バッテリー２０に供給しない状態、換言すれば、電力供給を遮断した状態）となっている。
【００３３】
ＣＰＵ１６は、ステップＳ１０１では、インタフェース１７、接続端子１５ａ、充電器３０の接続端子３２ａおよびインタフェース３５を介して、充電器３０のメモリー３４から認証用ＩＤを取得する。そしてＣＰＵ１６は、次のステップＳ１０２にて、充電器３０から取得した認証用ＩＤと当該携帯電話機１０のメモリー１８に保存している携帯電話機ＩＤとを比較し、これらのＩＤが一致すれば、即ち、当該携帯電話１０と充電器３０とがそれぞれ同一使用者のものであると判定できれば、ステップＳ１０３に処理を進め、切替スイッチ１９をオンの状態（即ち、充電器３０からの電力を再充電可能バッテリー２０に供給する状態）に切り替える。これにより、充電器１０から再充電可能バッテリー２０に対して電力が供給され、それにより再充電可能バッテリー２０が充電される。これで、認証用ＩＤと携帯電話機ＩＤとが一致した場合のＣＰＵ１６の処理は終了する。尚、再充電可能バッテリー２０の満充電時（即ち、充電完了時）の処理は、例えば、ＣＰＵ１６が再充電可能バッテリー２０への充電末期の印加電圧を切替スイッチ１９から検出あるいはＣＰＵ１６がタイマー（不図示）から制限時間終了情報を受け、切替スイッチ１９をオフ状態に切り替えることにより為されるか、または充電器３０の充電回路３３の出力電圧を充電器３０のＣＰＵ（不図示）が検出あるいは充電器３０のＣＰＵ（不図示）がタイマー（不図示）から制限時間終了情報を受け、充電回路３３の電力出力動作を停止させることにより為されればよい。
【００３４】
一方、ＣＰＵ１６は、上記ステップＳ１０２にて、認証用ＩＤと携帯電話機ＩＤとが一致しないと判定した場合にはステップＳ１０４以降の処理を行なう。認証用ＩＤと携帯電話機ＩＤとが一致しない例としては、当該携帯電話機１０の使用者と充電器３０の使用者とが異なる場合、換言すれば、当該携帯電話機１０が真の使用者でない他者により使用されている場合が挙げられる。尚、認証用ＩＤと携帯電話機ＩＤとが一致しないということには、充電器３０が認証用ＩＤを持っておらず、充電器３０から認証用ＩＤを取得することができなかった場合も含まれることに留意されるべきである。
【００３５】
ＣＰＵ１６は、ステップＳ１０４では、ディスプレイ装置１２もしくはスピーカー１３を用い、表示もしくは音により警告を発する。この警告は、誤って携帯電話機１０を当該携帯電話機１０専用ではない充電器３０にセットしてしまった真の使用者のために行なうものである。当該携帯電話機１０の真の使用者は、この警告の直後に、あるいは、この警告が発せられてから一定時間内にそのことに気が付き、この警告を解除する特定の操作を行なわねばならない。これに係る処理例について次に説明する。
【００３６】
ＣＰＵ１６は、ステップＳ１０５では、使用者が上記警告を見てもしくは聞いて特定の操作をして上記警告を解除したか否かを判定し、警告の解除が為されなかった場合にはステップＳ１０６に処理を進め、このステップＳ１０６では、上記警告の解除が行なわれずに一定時間が経過したか否かを判定する。そして、ＣＰＵ１６は、一定時間が経過していないと判定した場合はステップＳ１０５へ戻り、同様の処理を繰り返す。
【００３７】
上記警告を解除するための特定の操作としては、例えば、携帯電話機１０の操作部１１への所定の入力操作、真の使用者が予め設定した暗証番号等の操作部１１への入力操作、等である。従って、携帯電話機１０が真の使用者のものであった場合は、一定時間が経過する前に、上記特定の操作が行なわれ、それにより上記警告の解除が為されるであろう。携帯電話機１０を充電器３０にセットした者が真の使用者ではない他者であった場合には、上記特定の操作を行なうことができず、上記警告の解除を行なえないまま一定時間が経過することになる。
【００３８】
ＣＰＵ１６は、上記警告の解除が行なわれずに一定時間が経過したことを判定すると、ステップＳ１０６からステップＳ１０７に処理を進め、メモリー１８に保存している個人情報を削除する。これにより、携帯電話機１０の真の使用者ではない他者から真の使用者の個人情報を保護することができる。また、再充電可能バッテリー２０への充電も為されることはない。
【００３９】
一方、一定時間内に上記警告の解除が行なわれたことを判定すると、ＣＰＵ１６は、ステップＳ１０５からステップＳ１０８に処理を進め、当該携帯電話機１０を通常通りに使用できる状態に再設定する。従って、例えば、当該携帯電話機１０の真の使用者が誤って当該携帯電話機１０の専用ではない充電器３０にセットしたような場合に、メモリー１８に保存されている個人情報の削除が行なわれてしまうことはない。
【００４０】
そして、ＣＰＵ１６は、ステップＳ１０８からステップＳ１０１に戻る。
【００４１】
これで、認証用ＩＤと携帯電話機ＩＤとが一致しない場合のＣＰＵ１６の処理は終了する。
【００４２】
尚、ステップＳ１０８に関して、例えば、認証用ＩＤと携帯電話機ＩＤとが一致しないと判定された場合に、通常通りに使用できる状態にするために何らかのステップ（例えば、操作部１１への何らかの入力操作）を経なければ、オフの状態にある切替スイッチ１９をオンの状態に切り替えることが不能な充電システムとしていた場合、ステップＳ１０８での再設定が、上記通常通りに使用できる状態にするか否かのステップに相当することとなる。
【００４３】
上記第１実施形態によれば、認証用ＩＤと携帯電話機ＩＤとが一致しないか、あるいは、認証用ＩＤを取得できない場合、即ち、携帯電話機１０と充電器３０とが同一使用者のものではないと判定できる場合は、充電器３０から携帯電話機１０へ再充電可能バッテリー２０を充電するための電力の供給が行なわれないようにしているので（即ち、切替スイッチ１９をオフ状態のままにしているので）、当該携帯電話機１０の真の使用者ではない他者により充電を繰り返し継続して当該携帯電話機１０が不正利用されることを防止することができる。
【００４４】
また、上記第１実施形態によれば、携帯電話機１０と充電器３０とが同一使用者のものではないと判定した場合には、携帯電話機１０のディスプレイ装置１２での表示による警告、スピーカー１３から出る音による警告、等といった警告を行なっているので、再充電可能バッテリー２０への充電が為されず携帯電話機１０が使用できなくなることを知らせることができ、当該携帯電話機１０の真の使用者ではない他者により充電を繰り返し継続して当該携帯電話機１０が不正利用されることを防止することが可能となる。
【００４５】
また、上記第１実施形態によれば、一定時間経過しても、上記警告の解除が行なわれなかった場合には、例えば、電話帳データ、スケジュールデータ、等といった個人情報を削除するようにしているので、当該携帯電話機１０の真の使用者ではない他者に個人情報を見られることを防止することができ、個人情報を保護することが可能となる。
【００４６】
尚、当該携帯電話機１０の真の使用者が誤って当該携帯電話機１０の専用ではない充電器３０にセットしたような場合には、真の使用者が一定時間内に特定の操作を行なって上記警告の解除を行なえば、メモリー１８に保存されている個人情報の削除は行なわれないため、携帯電話機１０と充電器３０との誤接続によって個人情報が削除されてしまう、といったことも防止することが可能である。
【００４７】
次に、上記第１実施形態の利点を生かした応用例について説明する。
【００４８】
通常、同一人が携帯電話機と充電器をそれぞれ一台持っており、充電が必要な際に、自身が保持する充電器に自身の携帯電話機をセットして使用する。しかしこのような使い方に限らず、例えば、父、母、および子の３人が一台の携帯電話機を使用し、充電器に関しては、それぞれが一台ずつ（即ち、充電器は三台ある。）持っており、充電が必要な場合には、自身の充電器に共用の一台の携帯電話機をセットして充電する、といった使い方も考えられる。
【００４９】
このような使い方をする場合、各自の個人情報は家族といえども見られたくない場合が多い。そこで、これを上記第１実施形態を応用することで実現するシステムを説明する。
【００５０】
構成的には、それぞれの（三台の）充電器３０のメモリー３４に、共有する一台の携帯電話機１０を示す認証用ＩＤが保存され、一台の携帯電話機１０のメモリー１８に当該携帯電話機１０の携帯電話機ＩＤおよび３台の充電器３０を示す固有の充電器ＩＤが保存される。更に、メモリー１８には３人の個人情報（電話帳データやスケジュールデータ等）が保存されている。
【００５１】
上記の構成において、携帯電話機１０のＣＰＵ１６は、例えば、当該携帯電話機１０と充電器３０がそれぞれ同一使用者（この例では、母とする。）のものであると判定して、図３のステップＳ１０２からステップＳ１０３に処理を進め、切替スイッチ１９をオンの状態にして、母の所有する充電器３０からの電力を再充電可能バッテリー２０に供給する状態に切り替えたとする。その後、ＣＰＵ１６は、母の充電器３０のメモリー３４から当該充電器３０の充電器ＩＤを取得し、当該充電器３０に対応する個人情報のみをメモリー１８内より読み出し可能にする。そして、ＣＰＵ１６は、操作部１１への操作等により母の個人情報が読み出されると、ディスプレイ装置１２にその個人情報を表示させる。
【００５２】
上記のような構成にすることにより、携帯電話機１０の一台を、例えば家族で共有する場合でも、その一台の携帯電話機１０を該家族を構成する複数人それぞれが所有する充電器３０で充電可能とし、しかも、当該携帯電話機１０がいずれかの充電器に電気的に接続された際には、その所有者の充電器の例えば、電話帳データ、スケジュールデータ、等といった個人情報のみを利用でき、家族といえども上記充電器３０の真の使用者ではない他者の個人情報については見ることができないので、その携帯電話機１０の各使用者のプライバシーを守ることが可能となる。
【００５３】
（第２実施形態）
次に、図４〜図６を参照しながら本発明の第２実施形態を説明する。尚、図４において図２の構成要素と同一の構成要素には同じ符号を付し、それらの説明を簡略化あるいは省略する。
【００５４】
はじめに、上記第１実施形態では、制御手段（即ち、ＣＰＵ）を基本的に携帯電話機１０のみが具備しており、そして、充電器３０と認証のとれる（換言すれば、充電器３０と組み合わせて使用できる）携帯電話機を示す認証用ＩＤを当該充電器３０が持ち、携帯電話機１０固有の携帯電話機ＩＤを当該携帯電話機１０が持ち、充電器３０に携帯電話機１０がセットされた際に携帯電話機１０のＣＰＵ１６が再充電可能バッテリー２０への充電に係わる動作についてどのような処理を行なうか、について説明した。
【００５５】
これに対し、この第２実施形態では、制御手段としてのＣＰＵを携帯電話機１００と充電器３００がそれぞれ具備しており、携帯電話機１００と認証のとれる充電器を示す認証用ＩＤを当該携帯電話機１００が持ち、そして充電器３００固有の充電器ＩＤを当該充電器３００が持つ。
【００５６】
図４に示す充電システムの回路構成において、図２と異なるのは、携帯電話機１００側では、メモリー１８内に、電話帳データ等の個人情報を保存している他、当該携帯電話機１００と認証のとれる充電器を示す認証用ＩＤを保存している点である。また、充電器３００側では、図２に示したメモリー３４の代わりに、充電器３００全体の制御動作を行なうとともに、携帯電話機１００のＣＰＵ１６とデータのやり取りを行なう制御手段である充電器用ＣＰＵ３６と、充電器固有の充電器ＩＤを記憶するとともに、充電器用ＣＰＵ３６からの指令に従い当該充電器用ＣＰＵ３６に前記充電器ＩＤを送出する記憶手段であるメモリー３７を備えた点である。
【００５７】
次に、充電器３００に携帯電話機１００がセットされた際に充電器３００の充電器用ＣＰＵ３６と携帯電話機１００のＣＰＵ１６とが再充電可能バッテリー２０への充電に係わる処理においてどのようなデータのやり取りを行なうかについて説明する。まず、携帯電話機１００が充電器３００にセットされた際に充電器用ＣＰＵ３６が行なう再充電可能バッテリー２０の充電に係わる処理について図５のフローチャートに基づき説明する。
【００５８】
充電器用ＣＰＵ３６が、例えば接続端子３２ａの電位等から充電器３００に携帯電話機１００がセットされたことをインタフェース３５を介して検知すると、該充電器用ＣＰＵ３６は、図５のステップＳ２０１からの処理を開始する。尚、携帯電話機１００が充電器３００にセットされていない段階および携帯電話機１００が充電器３００にセットされていても少なくとも初期段階では、切替スイッチ１９が図４に示すようにオフの状態（即ち、充電器３００からの電力を再充電可能バッテリー２０に供給しない状態、換言すれば、電力供給を遮断した状態）となっている。
【００５９】
充電器用ＣＰＵ３６は、まずステップＳ２０１では、充電器３００にセットされた携帯電話機１００が認証のとれた（即ち、充電器３００と同一の使用者の）携帯電話機であるかを確認するために、インタフェース３５、接続端子３２ａ、携帯電話機１００の接続端子１５ａおよびインタフェース１７を介して、ＣＰＵ１６に対して、認証用ＩＤを要求する。そして、充電器用ＣＰＵ３６は、次のステップＳ２０２にて、この要求に応じてＣＰＵ１６から送られてくる認証用ＩＤを取得する。また、充電器用ＣＰＵ３６は、続くステップＳ２０３では、携帯電話機１００から取得した認証用ＩＤと当該充電器３００のメモリー３７に保存している充電器ＩＤとを比較し、これらのＩＤが一致すれば、即ち、当該充電器３００と携帯電話機１００がそれぞれ同一使用者のものであると判定できれば、ステップＳ２０４に処理を進める。そして、充電器用ＣＰＵ３６は、ステップＳ２０４にて、携帯電話機１００のＣＰＵ１６に対して、切替スイッチ１９をオンの状態（即ち、充電器３００からの電力を再充電可能バッテリー２０に供給する状態）に切り替えるように指令する。これで、認証用ＩＤと充電器ＩＤとが一致した場合の主な充電器用ＣＰＵ３６の処理は終了する。
【００６０】
一方、充電器用ＣＰＵ３６は、上記ステップＳ２０３にて、携帯電話機１００から取得した認証用ＩＤと当該充電器３００が保存している充電器ＩＤとが一致しないと判定した場合、ステップＳ２０５以降の処理を行なう。認証用ＩＤと充電器ＩＤとが一致しない例としては、当該携帯電話機１００の使用者と充電器３００の使用者とが異なる場合、換言すれば、当該携帯電話機１００が真の使用者でない他者により使用されている場合が挙げられる。尚、認証用ＩＤと充電器ＩＤとが一致しないということには、携帯電話機１００が認証用ＩＤを持っておらず、携帯電話機１００から認証用ＩＤを取得することができなかった場合も含まれることに留意されるべきである。
【００６１】
充電器用ＣＰＵ３６は、ステップＳ２０５では、携帯電話機１００のＣＰＵ１６に対して、ディスプレイ装置１２もしくはスピーカー１３を用いて表示もしくは音により警告を発するように指令する。この警告は、充電器３００に当該充電器３００を専用の充電器としない携帯電話機１００を誤ってセットしてしまった真の使用者のために行なうものである。当該携帯電話機１００の真の使用者は、この警告の直後に、あるいは、この警告が発せられてから一定時間内にそのことに気が付き、この警告を解除する特定の操作を行なわねばならない。
【００６２】
上記警告を解除するための特定の操作としては、例えば、携帯電話機１００の操作部１１への所定の入力操作、真の使用者が予め設定した暗証番号等の操作部１１への入力操作、等である。従って、携帯電話機１００の使用者と充電器３００の使用者が同一であった場合、一定時間が経過する前に上記警告の解除が行なわれれば、携帯電話機１００から上記警告の解除が為されたことを示す制御信号が充電器３００に送出される。また、携帯電話機１００の使用者と充電器３００の使用者が同一でなかった場合、上記特定の操作は真の使用者のみ知る秘密の操作であって行なわれないであろうから、一定時間が経過するまでに携帯電話機１００から上記警告の解除が為されたことを示す制御信号が充電器３００には送出されない。
【００６３】
充電器用ＣＰＵ３６は、次のステップＳ２０６では、上記警告の解除が為されたことを示す制御信号が携帯電話機１００から送られて来たかを判定し、上記警告の解除が為されたことを示す制御信号が送られて来た場合は、ステップＳ２０９に処理を進め、携帯電話機１００のＣＰＵ１９に対して、携帯電話機１００を通常通りに使用できる状態に再設定する指令を行なう。
【００６４】
充電器用ＣＰＵ３６は、携帯電話機１００から上記警告の解除が為されたことを示す制御信号が送られて来ないものの一定時間経過していないと判定した（即ち、ステップＳ２０７の“ＮＯ”）場合はステップＳ２０６へ戻ってステップＳ２０６およびステップＳ２０７を繰り返すが、携帯電話機１００から上記警告の解除が為されたことを示す制御信号が送られて来ずに一定時間が経過したと判定した（即ち、ステップＳ２０７のＹＥＳ）場合は、ステップＳ２０８に処理を進める。充電器用ＣＰＵ３６は、ステップＳ２０８では、携帯電話機１００のＣＰＵ１６に対して、メモリー１８に保存している個人情報を削除するように指令する。
【００６５】
これで、認証用ＩＤと充電器ＩＤとが一致しない場合の主な充電器用ＣＰＵ３６の処理は終了する。
【００６６】
次に、携帯電話機１００が充電器３００にセットされた際に携帯電話機１００のＣＰＵ１６が行なう再充電可能バッテリー２０の充電に係わる処理について図６のフローチャートに基づき説明する。
【００６７】
充電器用ＣＰＵ３６から認証用ＩＤの要求（図５のステップＳ２０１での要求に相当する。）があると、携帯電話機１００のＣＰＵ１６は、ステップＳ３０１からの動作を開始する。ＣＰＵ１６は、ステップＳ３０１では、上記の要求に応じてメモリー１８に保存している認証用ＩＤを読み出し、この認証用ＩＤを充電器用ＣＰＵ３６に送出する。ＣＰＵ１６は、次のステップＳ３０２では、充電器用ＣＰＵ３６から、オフの状態にある切替スイッチ１９をオンの状態に切り替える指令（図５のステップＳ２０４の指令に相当する。）が為されたかを判定し、切替スイッチ１９をオンの状態に切り替える指令があった場合はステップＳ３０３に処理を進める。ＣＰＵ１６は、ステップＳ３０３では、切替スイッチ１９をオンの状態に切り替え、これにより充電器３００からの電力が再充電バッテリー２０に供給される。
【００６８】
尚、再充電可能バッテリー２０の満充電時（即ち、充電完了時）の処理は、第１実施形態と同様、例えば、ＣＰＵ１６が再充電可能バッテリー２０への充電末期の印加電圧を切替スイッチ１９から検出あるいはＣＰＵ１６がタイマー（不図示）から制限時間終了情報を受け、切替スイッチ１９をオフ状態に切り替えることにより為されるか、または充電器３０の充電回路３３の出力電圧を充電器用ＣＰＵ３６が検出あるいは充電器用ＣＰＵ３６がタイマー（不図示）から制限時間終了情報を受け、充電回路３３の電力出力動作を停止させることにより為されればよい。
【００６９】
また、ＣＰＵ１６は、上記ステップＳ３０２にて、充電器用ＣＰＵ３６から切替スイッチ１９をオンの状態に切り替える指令がないと判定した場合は、ステップＳ３０４へ処理を進め、ここでは充電器用ＣＰＵ３６から、警告の指令（図５のステップＳ２０５の指令に相当する。）があったかの判定を行なう。この結果、警告の指令がなければステップＳ３０２に戻り、同様の動作を繰り返す。
【００７０】
ＣＰＵ１６は、上記ステップＳ３０４にて、充電器用ＣＰＵ３６から警告の指令があったことを判定するとステップＳ３０５へ処理を進め、ディスプレイ装置１２もしくはスピーカー１３を用い、表示もしくは音により警告を発する。
【００７１】
ＣＰＵ１６は、次のステップＳ３０６では、充電器用ＣＰＵ３６に対して、使用者により上記警告の解除が行なわれた場合は、警告の解除が為されたことを示す制御信号を送出し、上記警告が為されなかった場合は、警告の解除が為されたことを示す制御信号を送出する。この制御信号の送出に応じて充電器用ＣＰＵ３６で行なわれる動作が、図５のステップＳ２０６である。
【００７２】
ＣＰＵ１６は、次のステップＳ３０７では、充電器用ＣＰＵ３６から再設定の指令（図５のステップＳ２０９の指令に相当する。）があった否かの判定を行ない、再設定の指令があった場合はステップＳ３０８に進み、当該携帯電話機１００を通常通りに使用できる状態に再設定する。
【００７３】
尚、ステップＳ３０８に関して、例えば、認証用ＩＤと充電器ＩＤとが一致しないと判定された場合に、通常通りに使用できる状態にするために何らかのステップ（例えば、操作部１１への何らかの入力操作）を経なければ、オフの状態にある切替スイッチ１９をオンの状態に切り替えることが不能な充電システムとしていた場合、このステップＳ３０８での再設定が、上記通常通りに使用できる状態にするか否かのステップに相当することとなる。
【００７４】
ＣＰＵ１６は、上記ステップＳ３０７にて充電器用ＣＰＵ３６から再設定の指令がなかった場合は、ステップＳ３０９に処理を進め、ここでは充電器用ＣＰＵ３６から個人情報を削除する指令（図５のステップＳ２０８の指令に相当する。）があった否かの判定を行なう。そして、ＣＰＵ１６は、個人情報を削除する指令があったことを判定すると、ステップＳ３１０に処理を進め、メモリー１８に保存している個人情報を削除する。これにより、他者から個人情報を保護することができる。
【００７５】
これで、認証用ＩＤと充電器ＩＤとが一致しない場合の主なＣＰＵ１６の処理は終了する。尚、ＣＰＵ１６は、上記ステップＳ３０９にて、充電器用ＣＰＵ３６から個人情報を削除する指令がなかった場合は、直ちに図６の処理を終了する。
【００７６】
上記第２実施形態によれば、認証用ＩＤと充電器ＩＤとが一致しないか、あるいは、認証用ＩＤを取得できない場合は、充電器３００から携帯電話機１００へ再充電可能バッテリー２０を充電するための電力の供給が行なわれないようにしているので（即ち、切替スイッチ１９をオフとなった初期状態のままにしているので）、携帯電話機１００の真の使用者ではない他者により充電を繰り返し継続して当該携帯電話機１００が不正利用されることを防止することができる。
【００７７】
また、上記第２実施形態によれば、携帯電話機１００と充電器３００とが同一使用者のものではないと判定した場合には、携帯電話機１００のディスプレイ装置１２での表示による警告、スピーカー１３から出る音による警告、等といった警告を行なっているので、再充電可能バッテリー２０への充電が為されず携帯電話機１００が使用できなくなることを知らせることができ、携帯電話機１００の真の使用者ではない他者により充電を繰り返し継続して当該携帯電話機１００が不正利用されることを防止することが可能となる。
【００７８】
また、上記第２実施形態によれば、一定時間経過しても、上記警告の解除が行なわれなかった場合には、例えば、電話帳データ、スケジュールデータ、等といった個人情報を削除するようにしているので、他者に個人情報を見られることを防止することができ、個人情報を保護することが可能となる。
【００７９】
尚、携帯電話機１００の真の使用者が誤って当該携帯電話機１００の専用ではない充電器３００にセットしたような場合には、真の使用者が一定時間内に特定の操作を行なって上記警告の解除を行なえば、メモリー１８に保存されている個人情報の削除は行なわれないため、携帯電話機１００と充電器３００との誤接続によって個人情報が削除されてしまう、といったことも防止することが可能である。
【００８０】
上記第１実施形態および第２実施形態では、携帯電話機を例に挙げたが、本発明は、有線電話端末装置や、その他、充電器により充電を必要とする携帯端末装置に適用できるものである。
【００８１】
また、上記第２実施形態における構成では、再充電可能バッテリー２０を充電するか否かの切り替えを切替スイッチ１９で行なったが、その代わりに充電回路３３で行なうようにしてもよい。
【００８２】
尚、上記第１実施形態の利点を生かした応用例と同様に、上記第２実施形態の利点を生かした応用例も実施可能であるが、上記説明から容易に類推可能であるので、その説明は省略する。
【００８３】
尚、本発明は、前述した各実施形態に限定されるものではなく、適宜、変形、改良、等が可能である。その他、前述した各実施形態における各構成要素の形態、配置箇所、等は本発明を達成できるものであれば任意であり、限定されない。
【産業上の利用可能性】
【００８４】
本発明は、携帯端末装置の真の使用者ではない他者にその携帯端末装置が不正利用されてしまうことを防ぐ効果を奏するので、充電器により充電される再充電可能バッテリーを備えた携帯端末装置、該充電器、および該携帯端末装置と該充電器とからなる充電システム等に有用である。
【図面の簡単な説明】
【００８５】
【図１】本発明に係る携帯端末装置および充電器からなる充電システムの一外観例を示す図
【図２】本発明の第１実施形態である携帯端末装置および充電器からなる充電システムの回路構成を示すブロック図
【図３】図２の充電システムの動作手順を示すフローチャート
【図４】本発明の第２実施形態である携帯端末装置および充電器からなる充電システムの回路構成を示すブロック図
【図５】図４の充電システムにおける主に充電器の動作手順を示すフローチャート
【図６】図４の充電システムにおける主に携帯端末装置の動作手順を示すフローチャート
【符号の説明】
【００８６】
１０  携帯電話機（携帯端末装置）
１２  スピーカー（警告手段）
１３  ディスプレイ装置（警告手段）
１６  ＣＰＵ（制御手段）
１８  メモリー（記憶手段）
１９  切替スイッチ（切替手段）
２０  再充電可能バッテリー
３０  充電器
３３  充電回路（充電手段）
３４  メモリー（記憶手段）
３６  充電器用ＣＰＵ（制御手段）
３７  メモリー（記憶手段）
１００  携帯電話機（携帯端末装置）
３００  充電器
【図１】
2006279844.tif 000003
【図２】
2006279844.tif 000004
【図３】
2006279844.tif 000005
【図４】
2006279844.tif 000006
【図５】
2006279844.tif 000007
【図６】
2006279844.tif 000008